(57)【要約】【課題】  比較的簡易な構成を採りながら、磁石を用いた不正行為と衝撃を加える不正行為とを共に検出可能とした不正行為検出装置およびパチンコ遊技機を提供する。【解決手段】  （ａ）に示すように、遊技者が強力な誘導磁石４０を前ガラス１３の特定入賞口１１付近に接近あるいは接触させると、誘導磁石４０の引力によって強磁性体２８が引き寄せられ、アーム２４がその重量や引張コイルばね２６のばね力に抗して時計回りに揺動する。また、遊技者がパチンコ遊技機１の外枠２に強い衝撃を加えたり、パチンコ遊技機１をゆすったりした場合、その力が遊技盤３や主制御基板ケース６を介して不正行為検出装置２１に伝わり、（ｂ）に示すようにアーム２４が揺動する。そして、アーム２４の揺動角が所定値を超えると、フォトセンサ２５から主制御基板７に検出信号が出力される。【選択図】      図５
2008119360.tif 000002
【特許請求の範囲】
【請求項１】
パチンコ遊技機に設置される不正行為検出装置であって、
前記パチンコ遊技機の盤面に対して平行な支持軸によってその上端が揺動自在に支持され、少なくともその下端側に強磁性体または磁石が設けられた振り子と、
前記振り子の揺動を検出する揺動検出手段と
を備えたことを特徴とする不正行為検出装置。
【請求項２】
パチンコ遊技機に設置され、磁石を用いた不正行為と振動を加える不正行為とを共に検出する不正行為検出装置であって、
前記パチンコ遊技機の盤面に対して平行な支持軸によってその上端が揺動自在に支持され、少なくともその下端側に磁石が設けられた振り子と、
前記パチンコ遊技機の盤面と前記磁石との間に設置された磁気検出手段と
を備えたことを特徴とする不正行為検出装置。
【請求項３】
前記振り子の揺動を抑制する揺動抑制手段を更に備えたことを特徴とする、請求項１または請求項２に記載された不正行為検出装置。
【請求項４】
請求項１〜請求項３に記載された不正行為検出装置を備えたことを特徴とするパチンコ遊技機。
【請求項５】
前記不正行為検出装置が主制御基板ケース内に設置されたことを特徴とする、請求項４に記載されたパチンコ遊技機。
【発明の詳細な説明】
【技術分野】
【０００１】
本発明は、パチンコ遊技機に設置される不正行為検出装置やこの不正行為検出装置が設置されたパチンコ遊技機に係り、比較的簡易な構成を採りながら、磁石を用いた不正行為と衝撃を加える不正行為とを共に検出するための技術に関する。
【背景技術】
【０００２】
パチンコ遊技機は、大衆の健全な娯楽として発展してきたが、賞球を煙草等の景品に交換できるため、種々の不正行為が行われることがある。不正行為としては、強力な磁石（以下、誘導磁石と記す）を用いて盤面上の遊技球を特定入賞口や大入賞口に誘導するものや、衝撃を与えて役物（ステージやクルーン等）内の遊技球を特定入賞口に誘導するものが主流であり、これらの不正行為を抑制する技術が種々開発されている。
【０００３】
例えば、誘導磁石を用いた不正行為に対しては、磁性体が取り付けられた開閉蓋を入賞口の上部に設置し、誘導磁石が近づけられると開閉蓋が作動して入賞口を閉鎖する技術（特許文献１参照）や、磁性体と絶縁体とからなるコアに導線を巻き回して構成したコイル（磁気センサ）をパチンコ遊技機に設置し、コイルによって検出された磁界が所定値を超えた場合に不正行為を報知する技術（特許文献２参照）が開示されている。また、衝撃を加える不正行為に対しては、振動センサをパチンコ遊技機に設置し、パチンコ遊技機の振動が検出された場合に遊技球の入賞を無効にする技術が開示されている（特許文献３参照）。
【特許文献１】特開２００６−７５３７７号公報
【特許文献２】特開２００２−２７３０１７号公報
【特許文献３】特開２００２−９０１号公報
【発明の開示】
【発明が解決しようとする課題】
【０００４】
誘導磁石を用いた不正行為と衝撃を加える不正行為とを検出する場合、パチンコ遊技機に磁気センサおよび振動センサを個別に設置するとともに、これらセンサから制御基板への電気配線等も必要となる。そのため、パチンコ遊技機の設計や構造が複雑になるとともに、構成部品や組立工数が増大して製品コストが上昇する問題があった。
【０００５】
本発明は、このような背景に鑑みなされたものであり、比較的簡易な構成を採りながら、磁石を用いた不正行為と衝撃を加える不正行為とを共に検出可能とした不正行為検出装置およびパチンコ遊技機を提供することを目的とする。
【課題を解決するための手段】
【０００６】
請求項１の発明に係る不正行為検出装置は、パチンコ遊技機に設置される不正行為検出装置であって、前記パチンコ遊技機の盤面に対して平行な支持軸によってその上端が揺動自在に支持され、少なくともその下端側に強磁性体または磁石が設けられた振り子と、前記振り子の揺動を検出する揺動検出手段とを備えたことを特徴とする。
【０００７】
また、請求項２の発明に係る不正行為検出装置は、パチンコ遊技機に設置され、磁石を用いた不正行為と振動を加える不正行為とを共に検出する不正行為検出装置であって、前記パチンコ遊技機の盤面に対して平行な支持軸によってその上端が揺動自在に支持され、少なくともその下端側に磁石が設けられた振り子と、前記パチンコ遊技機の盤面と前記磁石との間に設置された磁気検出手段とを備えたことを特徴とする。
【０００８】
また、請求項３の発明に係る不正行為検出装置は、請求項１または請求項２に記載された不正行為検出装置において、前記振り子の揺動を抑制する揺動抑制手段を更に備えたことを特徴とする。
【０００９】
また、請求項４の発明に係るパチンコ遊技機は、請求項１〜請求項３に記載された不正行為検出装置を備えたことを特徴とする。
【００１０】
また、請求項５の発明に係るパチンコ遊技機は、請求項４に記載されたパチンコ遊技機において、前記不正行為検出装置が主制御基板ケース内に設置されたことを特徴とする。
【発明の効果】
【００１１】
請求項１の発明によれば、単一の不正行為検出装置でありながら、パチンコ遊技機の盤面における特定入賞口等の裏に設置することで、特定入賞口の付近に誘導磁石を接近させたり、台枠に衝撃を与えたりすると、振り子が揺動して揺動検出手段から基板に検出信号が出力され、不正行為がパチンコ遊技機の管理者に報知されるようになる。また、請求項２の発明によれば、単一の不正行為検出装置でありながら、パチンコ遊技機の盤面における特定入賞口等の裏に設置することで、特定入賞口の付近に誘導磁石を接近させたり、台枠に衝撃を与えて振り子が揺動すると、磁気センサから基板に検出信号が出力され、不正行為がパチンコ店の管理者に報知されるようになる。また、請求項３の発明によれば、震度が小さい地震等によって振り子が揺動し難くなり、不正行為の誤検出が抑制される。また、請求項４の発明によれば、誘導磁石を用いた不正行為と衝撃を加える不正行為とを共に検出して、パチンコ遊技機の管理者に報知できるパチンコ遊技機が比較的簡易かつ低コストで製造できる。また、請求項５の発明によれば、開け難く、かつ開けたことが容易に判別できる主制御基板ケース内に収納することで、不正行為に対する高いセキュリティ性能を確保できる。
【発明を実施するための最良の形態】
【００１２】
以下、図面を参照して、本発明に係る不正行為検出装置が設置されたパチンコ遊技機の３つの実施形態を詳細に説明する。
【００１３】
≪第１実施形態≫
図１は第１実施形態に係るパチンコ遊技機の裏面を示す斜視図であり、図２は第１実施形態に係るパチンコ遊技機の要部縦断面図であり、図３は第１実施形態に係る不正行為検出装置の縦断面図であり、図４は図３中のIＶ矢視図である。
【００１４】
＜パチンコ遊技機の構成＞
図１に示すように、パチンコ遊技機１は、縦に長い長方形の外枠２や、外枠２の内側に嵌め込まれた遊技盤３、遊技盤３の中央に設置された図柄表示ユニット４、外枠２の上部に設置された玉払出装置５、遊技盤３の下部に設置された透明樹脂製の主制御基板ケース６、主制御基板ケース６に収容された主制御基板７、払出制御基板（図示せず）を収容した払出制御基板ケース８等から構成されている。なお、パチンコ遊技機１の前面には、発射レバー９や図示しない各種役物、受け皿等が設置されている。
【００１５】
図２に示すように、遊技盤３には、多数本の遊技釘１０が打ち込まれるとともに、特定入賞口１１や入賞ポケット１２が設けられ、その前方には前ガラス１３と後ガラス１４とが所定の間隔をもって設置されている。また、本実施形態の場合、主制御基板ケース６内には、特定入賞口１１の裏側にあたる部位に不正行為検出装置２１が設置されている。
【００１６】
＜不正行為検出装置の構成＞
図３，図４に示すように、不正行為検出装置２１は、装置外殻を構成する樹脂製の装置ケーシング２２と、パチンコ遊技機１の遊技盤３（図３には図示せず）に対して平行に設置されたピボット軸（支持軸）２３と、ピボット軸２３を支点にして揺動するアーム（振り子）２４と、アーム２４の揺動を検出するフォトセンサ（揺動検出手段）２５と、装置ケーシング２２の内壁とアーム２４の中間部とに両端が連結された引張コイルばね（揺動抑制手段）２６と、アーム２４の反時計回りへの揺動を規制するストッパ２７とを主要構成要素としている。
【００１７】
アーム２４は、高強度樹脂を素材としており、その下端に円柱状の強磁性体（例えば、フェライトの成形品）２８が装着されている。また、フォトセンサ２５は、上方が開放された略コ字形状を呈する透過型であり、アーム２４の揺動角が所定値を超えた場合に主制御基板７に検出信号を出力する。なお、引張コイルばね２６のばね力は、震度の小さな地震が起こっても、アーム２４が容易に揺動しない大きさに設定されている。
【００１８】
＜第１実施形態の作用＞
パチンコ遊技機１に電源が供給された状態で遊技者が発射レバー９を操作すると、遊技球が遊技盤３内に打ち出されて遊技が始められる。この際、図５（ａ）に示すように、遊技者が強力な誘導磁石４０を前ガラス１３の特定入賞口１１付近に接近あるいは接触させると、誘導磁石４０の引力によって強磁性体２８が引き寄せられ、アーム２４がその重量や引張コイルばね２６のばね力に抗して時計回りに揺動する。また、遊技者がパチンコ遊技機１の外枠２に強い衝撃を加えたり、パチンコ遊技機１をゆすったりした場合、その力が遊技盤３や主制御基板ケース６を介して不正行為検出装置２１に伝わり、図５（ｂ）に示すようにアーム２４が揺動する。そして、アーム２４の揺動角が所定値を超えると、フォトセンサ２５から主制御基板７に検出信号が出力され、パチンコ店のホール係や管理者が不正行為を認識することが可能となる。なお、不正行為検出装置２１は、周知の加締め構造によって開封困難となっている主制御基板ケース６内に収容されているため、外部からリード線を切断すること等の不正行為が効果的に防止されるとともに、塵埃や水分の付着による電気接続部の腐食等が効果的に防止される。
【００１９】
≪第２実施形態≫
図６は第２実施形態に係る不正行為検出装置の縦断面図である。
【００２０】
＜不正行為検出装置の構成＞
図６に示すように、第２実施形態の不正行為検出装置２１は、上述した第１実施形態と略同様の全体構成を採っているが、引張コイルばねやストッパを備えておらず、アーム２４が時計回りだけでなく反時計回りにも揺動可能となっている。また、ピボット軸２３の支持部には、アーム２４の揺動を減衰すべく、摩擦ダンパ（揺動抑制手段）２９が組み込まれている。また、アーム２４は、第１実施形態と同様に高強度樹脂を素材としているが、その下端に円柱状の磁石３０が装着されている。なお、摩擦ダンパ２９の摩擦力は、震度の小さな地震が起こっても、アーム２４が容易に揺動しない大きさに設定されている。
【００２１】
＜第２実施形態の作用＞
第２実施形態では、図７（ａ）に示すように、遊技者が強力な誘導磁石４０を前ガラス１３の特定入賞口１１付近に接近あるいは接触させると、誘導磁石４０との間の引力（または、斥力）によって磁石３０が引き寄せられ（遠ざけられ）、アーム２４がその重量や摩擦ダンパ２９の摩擦力に抗して時計回り（反時計回り）に揺動する。なお、図７（ａ）は、誘導磁石４０と磁石３０の間に斥力が作用し、アーム２４が反時計回りに揺動した状態を示している。また、遊技者がパチンコ遊技機１の外枠２に強い衝撃を加えたり、パチンコ遊技機１をゆすったりした場合、その力が遊技盤３や主制御基板ケース６を介して不正行為検出装置２１に伝わり、図７（ｂ）に示すようにアーム２４が揺動する。第２実施形態においても、アーム２４の揺動角が所定値を超えると、フォトセンサ２５から主制御基板７に検出信号が出力され、パチンコ店のホール係や管理者が不正行為を認識することが可能となる。
【００２２】
≪第３実施形態≫
図８は第３実施形態に係る不正行為検出装置の縦断面図である。
【００２３】
＜不正行為検出装置の構成＞
図８に示すように、第３実施形態の不正行為検出装置２１は、装置外殻を構成する樹脂製の装置ケーシング２２と、パチンコ遊技機１の遊技盤３（図８には図示せず）に対して平行に設置されたピボット軸２３と、ピボット軸２３を支点にして揺動するアーム２４と、ピボット軸２３の支持部に取り付けられた摩擦ダンパ２９と、アーム２４の先端に取り付けられた比較的小さな磁石３０と、装置ケーシング２２の図中左側の壁面に取り付けられた磁気センサ（磁気検出手段）３１とを主要構成要素としている。
【００２４】
＜第３実施形態の作用＞
第３実施形態では、図９（ａ）に示すように、遊技者が強力な誘導磁石４０を前ガラス１３の特定入賞口１１付近に接近あるいは接触させると、誘導磁石４０によって形成される比較的大きな磁界が磁気センサ３１によって検出される。また、遊技者がパチンコ遊技機１の外枠２に強い衝撃を加えたり、パチンコ遊技機１をゆすったりした場合、その力が遊技盤３や主制御基板ケース６を介して不正行為検出装置２１に伝わり、図９（ｂ）に示すようにアーム２４が揺動し、磁石３０によって形成される比較的小さな磁界が磁気センサ３１によって検出される。そして、誘導磁石４０や磁石３０の磁界を検出した磁気センサ３１から主制御基板７に検出信号が出力されると、パチンコ店のホール係や管理者が不正行為を認識することが可能となる。
【００２５】
以上で具体的実施形態の説明を終えるが、本発明の態様はこの実施形態に限られるものではない。例えば、第１，第２実施形態では揺動検出手段としてフォトセンサを用いたが、他種の非接触式センサを採用してもよいし、接触式センサ（電気式スイッチ等）を採用してもよい。また、上記実施形態では揺動抑制手段として引張コイルばねや摩擦ダンパを用いたが、圧縮コイルばねや、板ばね、粘性ダンパ等を採用してもよい。また、アームの素材を金属等としてもよいし、強磁性体としてニッケル等を採用してもよい。その他、不正行為検出装置の具体的構成や、パチンコ遊技機における不正行為検出装置の設置部位等についても、本発明の主旨を逸脱しない範囲であれば適宜変更可能である。
【図面の簡単な説明】
【００２６】
【図１】第１実施形態に係るパチンコ遊技機の裏面を示す斜視図である。
【図２】第１実施形態に係るパチンコ遊技機の要部縦断面図である。
【図３】第１実施形態に係る不正行為検出装置の縦断面図である。
【図４】図３中のIＶ矢視図である。
【図５】第１実施形態を作用を示す説明図である。
【図６】第２実施形態に係る不正行為検出装置の縦断面図である。
【図７】第２実施形態を作用を示す説明図である。
【図８】第３実施形態に係る不正行為検出装置の縦断面図である。
【図９】第３実施形態を作用を示す説明図である。
【符号の説明】
【００２７】
１      パチンコ遊技機
３      遊技盤
６      主制御基板ケース
１１    特定入賞口
２１    不正行為検出装置
２２    装置ケーシング
２３    ピボット軸（支持軸）
２４    アーム（振り子）
２５    フォトセンサ（揺動検出手段）
２６    引張コイルばね（揺動抑制手段）
２８    強磁性体
２９    摩擦ダンパ（揺動抑制手段）
３０    磁石
３１    磁気センサ（磁気検出手段）
４０    誘導磁石
【図１】
2008119360.tif 000003
【図２】
2008119360.tif 000004
【図３】
2008119360.tif 000005
【図４】
2008119360.tif 000006
【図５】
2008119360.tif 000007
【図６】
2008119360.tif 000008
【図７】
2008119360.tif 000009
【図８】
2008119360.tif 000010
【図９】
2008119360.tif 000011